【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
音声信号と副情報とを含む動画情報を高速度で再生可能な動画再生装置であって、
前記動画情報に含まれる副情報に基づいて、人の発声期間を表わす第１音声区間と、それ以外の第２音声区間とを判定する音声区間判定手段と、
前記動画情報に基づいて、前記第１音声区間は、ユーザが内容を把握可能な所定速度で、再生音声を伴う高速動画再生を行なう一方で、前記第２音声区間は、前記所定速度より高速度で、高速動画再生を行なう早見再生手段と、
を備えることを特徴とする動画再生装置。
【請求項２】
前記早見再生手段は、前記第２音声区間において、前記第１の音声区間における音量より小音量の再生音声を伴う動画再生を行なうことを特徴とする請求項１記載の動画再生装置。
【請求項３】
前記早見再生手段は、前記第２音声区間において、無音声にて動画再生を行なう
ことを特徴とする請求項１記載の動画再生装置。
【請求項４】
前記副情報には、人の発した音声区間の開始タイミングと終了タイミング、開始タイミングとその区間長、或いは終了タイミングとその区間長のうち何れかが含まれる
ことを特徴とする請求項１乃至請求項３の何れかに記載の動画再生装置。
【請求項５】
前記早見再生手段による高速動画再生の実行を指示された際に、前記音声区間判定手段は、再生映像が出力されるのに先立って前記動画情報に基づいて前記第１及び第２音声区間を判定することにより、前記音声区間判定手段による音声区間の判定と、前記早見再生手段による高速動画再生とが、擬似的リアルタイムに行われる
ことを特徴とする請求項１乃至請求項３の何れかに記載の動画再生装置。
【請求項６】
前記早見再生手段において、前記第２音声区間における音声再生時の音量は、予め決定されるまたはユーザが指定可能である
ことを特徴とする請求項１乃至請求項３の何れかに記載の動画再生装置。
【請求項７】
前記音声区間判定手段は、前記音声信号に基づいて、前記第１音声区間を判定するに際して、時間軸上で近接する複数の前記第１音声区間を、統合補正する補正手段を含む
ことを特徴とする請求項１乃至請求項３の何れかに記載の動画再生装置。
【請求項８】
前記補正手段は、前記動画情報に含まれるシーンチェンジ点を検出すると共に、検出した個々のシーンチェンジ点のうち、着目する前記第１音声区間の始点よりも時間的に早く且つ最も近傍に位置する近傍シーンチェンジ点と、その始点との時間間隔が所定のしきい値以下である場合に、該着目する前記第１音声区間の始点を、該近傍シーンチェンジ点に対応する情報に置き換えることによって補正する
ことを特徴とする請求項７記載の動画再生装置。
【請求項９】
前記補正手段は、前記動画情報に含まれるシーンチェンジ点を、前記副情報から抽出することによって取得することを特徴とする請求項８記載の動画再生装置。
【請求項１０】
前記早見再生手段は、前記第１音声区間の長さおよびその区間の再生速度と、前記第２音声区間の長さおよびその区間の再生速度とに基づいて、前記高速動画再生に要する所要時間を算出すると共に、算出した所要時間をユーザに提示することを特徴とする請求項１乃至請求項３の何れかに記載の動画再生装置。
【請求項１１】
前記早見再生手段は、前記所要時間を提示するのに応じて、前記第１及び第２音声区間の再生速度の変更操作がユーザによって行われた場合に、その変更後の再生速度に基づいて、前記所要時間を調整する調整手段を含むことを特徴とする請求項１０記載の動画再生装置。
【請求項１２】
更に、前記動画再生装置を利用可能なユーザを対象として、個々のユーザに関する属性情報が登録されたユーザ・プロファイルを備え、
前記早見再生手段は、前記ユーザ・プロファイルに登録されているところの、特定ユーザに関する属性情報に従って、前記第１及び第２音声区間の再生速度を自動的に決定することを特徴とする請求項１乃至請求項３の何れかに記載の動画再生装置。
【請求項１３】
前記ユーザ・プロファイルには、前記個々のユーザに関する属性情報として、年齢、使用言語、動体視力、並びに早い音声の聴力のうち少なくとも何れかが含まれる
ことを特徴とする請求項１２記載の動画再生装置。
【請求項１４】
前記早見再生手段は、
前記特定ユーザに関する属性情報に従って自動的に決定したところの、前記第１音声区間の長さおよびその区間の再生速度と、前記第２音声区間の長さおよびその区間の再生速度とに基づいて、前記高速動画再生に要する所要時間を算出すると共に、算出した所要時間を該ユーザに提示すると共に、その所要時間を提示するのに応じて、前記第１及び第２音声区間の再生速度の変更操作がユーザによって行われた場合に、その変更後の再生速度に基づいて、前記所要時間を調整する調整手段を含む
ことを特徴とする請求項１２または請求項１３記載の動画再生装置。
【請求項１５】
前記調整手段は、前記変更後の第１及び第２音声区間の再生速度を、前記特定ユーザに関する属性情報と関連付けして、前記ユーザ・プロファイルに記憶し、
前記早見再生手段は、前記高速動画再生に際して、前記ユーザ・プロファイルに記憶された変更後の第１及び第２音声区間の再生速度を反映する
ことを特徴とする請求項１４記載の動画再生装置。
【請求項１６】
前記早見再生手段は、
前記第２音声区間の再生態様に関する情報がユーザによって指定された場合に、前記ユーザ・プロファイルに記憶された該ユーザに関する属性情報に対して、該再生態様に関する情報を関連付けして、前記ユーザ・プロファイルに記憶すると共に、前記高速動画再生に際して、前記ユーザ・プロファイルに記憶された前記第２音声区間の再生態様に関する情報を反映する
ことを特徴とする請求項１２記載の動画再生装置。
【請求項１７】
前記第１音声区間の高速動画再生時の前記所定速度は、等速再生の１．５倍乃至２倍の速度である
ことを特徴とする請求項１記載の動画再生装置。
【請求項１８】
前記早見再生手段は、
前記ユーザ・プロファイルに登録された前記ユーザに関する属性情報に、高齢者、視覚障害者、或いは聴覚障害者であることを示す識別情報が含まれる場合に、その識別情報に対応するユーザを対象として前記高速動画再生を行なうに際して、前記第１音声区間の再生速度は前記等倍速度より遅くし、前記第２音声区間の再生速度は前記等倍速度より速く行なう
ことを特徴とする請求項１２記載の動画再生装置。
【請求項１９】
前記早見再生手段は、
前記ユーザ・プロファイルに登録された前記ユーザに関する属性情報に、そのユーザの使用言語を示す識別情報が含まれ、その識別情報と、前記動画情報に含まれる言語種別情報とが一致しない場合には、その識別情報に対応するユーザを対象として前記高速動画再生を行なうに際して、前記第１音声区間の再生速度は前記等倍速度より遅くし、前記第２音声区間の再生速度は５倍速乃至１０倍速で行なう
ことを特徴とする請求項１２記載の動画再生装置。
【請求項２０】
前記ユーザ・プロファイルには、前記動画再生装置を利用可能な複数のユーザを対象として、個々のユーザに関する属性情報が登録されており、
前記早見再生手段は、特定ユーザの選択操作に応じて、または個人認証技術に基づいて、その特定ユーザに関する属性情報を、前記ユーザ・プロファイルから取得する
ことを特徴とする請求項１２記載の動画再生装置。
【請求項２１】
更に、前記ユーザ・プロファイルに登録された特定ユーザに関する属性情報を、その特定ユーザ自身が変更可能な属性情報変更手段を備えることを特徴とする請求項１２記載の動画再生装置。
【請求項２２】
音声信号と副情報とを含む動画情報を高速度で再生可能な動画再生方法であって、
前記動画情報に含まれる副情報に基づいて、人の発声期間を表わす第１音声区間と、それ以外の第２音声区間とを判定する音声区間判定工程と、
前記動画情報に基づいて、前記第１音声区間は、ユーザが内容を把握可能な所定速度で、再生音声を伴う高速動画再生を行なう一方で、前記第２音声区間は、前記所定速度より高速度で、高速動画再生を行なう早見再生工程と、
を有することを特徴とする動画再生方法。
【請求項２３】
前記早見再生工程では、前記第２音声区間において、前記第１の音声区間における音量より小音量の再生音声を伴う動画再生を行なうことを特徴とする請求項２２記載の動画再生方法。
【請求項２４】
前記早見再生工程では、前記第２音声区間において、無音声にて動画再生を行なうことを特徴とする請求項２２記載の動画再生方法。
【請求項２５】
前記副情報には、人の発した音声区間の開始タイミングと終了タイミング、開始タイミングとその区間長、或いは終了タイミングとその区間長のうち何れかが含まれることを特徴とする請求項２２乃至請求項２４の何れかに記載の動画再生方法。
【請求項２６】
前記早見再生工程にて高速動画再生を実行するに際して、再生映像が出力されるのに先立って前記音声区間判定工程における前記動画情報に基づく前記第１及び第２音声区間の判定を実行することにより、前記音声区間判定工程における音声区間の判定と、前記早見再生工程における高速動画再生とが、擬似的リアルタイムに行われることを特徴とする請求項２２乃至請求項２４の何れかに記載の動画再生方法。
【請求項２７】
前記音声区間判定工程では、前記音声信号に基づいて、前記第１音声区間を判定するに際して、時間軸上で近接する複数の前記第１音声区間を、統合補正することを特徴とする請求項２２乃至請求項２４の何れかに記載の動画再生方法。
【請求項２８】
前記音声区間判定工程では、前記動画情報に含まれるシーンチェンジ点を検出すると共に、検出した個々のシーンチェンジ点のうち、着目する前記第１音声区間の始点よりも時間的に早く且つ最も近傍に位置する近傍シーンチェンジ点と、その始点との時間間隔が所定のしきい値以下である場合に、該着目する前記第１音声区間の始点を、該近傍シーンチェンジ点に対応する情報に置き換えることによって補正する
ことを特徴とする請求項２７記載の動画再生方法。
【請求項２９】
請求項１乃至請求項２１の何れかに記載の動画再生装置を、コンピュータによって実現可能な動作指示をなすことを特徴とするコンピュータ・プログラム。
【請求項３０】
請求項２２乃至請求項２８の何れかに記載の動画再生方法として、コンピュータを動作させる指示をなすことを特徴とするコンピュータ・プログラム。
【手続補正２】
【補正対象書類名】明細書
【補正対象項目名】００１４
【補正方法】変更
【補正の内容】
【００１４】
即ち、音声信号と副情報とを含む動画情報を、高速度で再生可能な動画再生装置であって、
前記動画情報に含まれる副情報に基づいて、人の発声期間を表わす第１音声区間と、それ以外の第２音声区間とを判定する音声区間判定手段と、前記動画情報に基づいて、前記第１音声区間は、ユーザが内容を把握可能な所定速度で、再生音声を伴う高速動画再生を行なう一方で、前記第２音声区間は、前記所定速度より高速度で、高速動画再生を行なう早見再生手段とを備えることを特徴とする。
【手続補正３】
【補正対象書類名】明細書
【補正対象項目名】００１５
【補正方法】変更
【補正の内容】
【００１５】
好適な実施形態において、前記早見再生手段は、前記第２音声区間において、前記第１の音声区間における音量より小音量の再生音声を伴う動画再生を行なうと良い。
【手続補正４】
【補正対象書類名】明細書
【補正対象項目名】００１６
【補正方法】変更
【補正の内容】
【００１６】
好適な他の実施形態において、前記早見再生手段は、前記第２音声区間において、無音声にて動画再生を行なうと良い。
【手続補正５】
【補正対象書類名】明細書
【補正対象項目名】０１００
【補正方法】変更
【補正の内容】
【０１００】
【表３】
2003309786.tif 000001